(57)【特許請求の範囲】
【請求項１】
集合住宅の建物内に、平行に竪型の給気ダクトと排気ダクトが分離して設けられていて、燃焼器具の給気管を前記給気ダクト内に結び、排気管を前記排気ダクト内に結ぶ形態の給排気ダクトにおいて、前記排気ダクトの底部に、大気開放口を設けると共に、この大気開放口に、排気ダクト内の負圧を給気ダクトとの間において一定に保つための負圧調整装置を取り付け、更に、前記排気ダクト内に開放している大気開放口に、大気開放口から流入した空気の流れを上方に誘導する整圧板を取り付けたことを特徴とする集合住宅における分離竪型給排気ダクト。
【請求項２】
負圧調整装置を自閉式のダンパーで構成して成る請求項１記載の集合住宅における分離竪型給排気ダクト。
【請求項３】
自閉式のダンパーに負圧調整バランサーを取り付けて成る請求項１記載の集合住宅における分離竪型給排気ダクト。
【請求項４】
自閉式のダンパーに負圧調整スプリングを取り付けて成る請求項１記載の集合住宅における分離竪型給排気ダクト。
【発明の詳細な説明】
【０００１】
【発明の属する技術分野】
本発明は、集合住宅に設置される分離竪型給排気ダクトに関するものである。
【０００２】
【従来の技術】
集合住宅の場合、ガス湯沸器やガスストーブ等の燃焼器具用給排気は、建物内に設置した共用のダクトを用いて行うようになっている場合が多い。例えば、ＵダクトとかＳＥダクトがこの例であるが、最近は、図７に示すように、集合住宅の建物１内に、各階を貫通する竪型の給気ダクト２と排気ダクト３を設置し、この給排気ダクト２、３間にＦＦ式（強制給排気式）の燃焼器具４の給気管５と排気管６を接続して給排気を行う所謂分離竪型給排気ダクトが多く施工されている。
【０００３】
【発明が解決しようとする課題】
上記分離竪型給排気ダクトの場合、排気ダクト３内の圧力は、給気ダクト２側よりも常時負圧になるように調整されているが、給気トップ２ａ及び排気トップ３ａに作用する風圧及び各階での燃焼器具の使用状況等により、排気ダクト３内の負圧が給気ダクト２側に対して大きくなり過ぎることがある。そして、このように、排気ダクト３側の負圧が大きくなると、ＦＦ式の燃焼器具の場合であっても、ファンの回転抵抗に変化が生じることから、給排気バランスが崩れて器具の燃焼性に悪い影響が生じるようになる。
本発明の目的は、排気ダクト側の負圧の値を器具の燃焼性に悪影響を生じない範囲に制御する負圧調整装置付の分離竪型給排気ダクトを提供することである。
【０００４】
【課題を解決するための手段】
上記目的を達成するため、請求項１に記載の発明においては、集合住宅における分離竪型給排気ダクトにおいて、集合住宅の建物内に、平行に竪型の給気ダクトと排気ダクトが分離して設けられていて、燃焼器具の給気管を前記給気ダクト内に結び、排気管を前記排気ダクト内に結ぶ形態の給排気ダクトにおいて、前記排気ダクトの底部に、大気開放口を設けると共に、この大気開放口に、排気ダクト内の負圧を給気ダクトとの間において一定に保つための負圧調整装置を取り付け、更に、前記排気ダクト内に開放している大気開放口に、大気開放口から流入した空気の流れを上方に誘導する整圧板を取り付けたことを特徴とするものである。
更に、請求項２に記載の発明においては、請求項１記載の集合住宅における分離竪型給排気ダクトにおいて、負圧調整装置を自閉式のダンパーで構成して成ることを特徴とするものである。
更に、請求項３に記載の発明においては、請求項１記載の集合住宅における分離竪型給排気ダクトにおいて、自閉式のダンパーに負圧調整バランサーを取り付けて成ることを特徴とするものである。
更に、請求項４に記載の発明においては、請求項１記載の集合住宅における分離竪型給排気ダクトにおいて、自閉式のダンパーに負圧調整スプリングを取り付けて成ることを特徴とするものである。
【０００６】
【作用】
上記ダクトにおいては、排気ダクト内の負圧が大気圧に対して一定値以下になると、差圧でダンパーが開き、大気が排気ダクト内に流入するため、排気ダクト内の圧力が上昇する。そして、排気ダクト内の負圧が一定値まで回復すると、ダンパーが閉じる。この作用により、排気ダクト内の負圧が一定の範囲内に保たれる。負圧の調整は、ダンパーに取り付けたバランサー（重り）又はスプリングにより行うことができる。
【０００７】
【発明の実施の形態】
排気ダクト内の底部には、大気開放口を形成し、ここに負圧調整装置を取り付ける。負圧調整装置は、ダンパーがコスト、耐久性等から最良であるが、排気ダクト内の圧力と大気圧を検出するセンサを設け、この両センサで検出される差圧に基づいてモータ駆動で制御される負圧調整弁を大気開放口に取り付けてもよい。
【０００８】
ダンパーの場合は、排気ダクト内圧力と大気圧との差圧で開閉できる構造となし、この作動差圧は、ダンパー自体の重量により、又はダンパーに別に取り付けたバランサーにより、又はダンパーに常時閉止方向の力を付与しているスプリングにより設定が可能なように構成する。
【０００９】
【実施例】
以下、本発明の実施例を、添付図面に示す実施例に基づいて詳述する。
図１は、集合住宅に設置された分離竪型給排気ダクトと、これに取り付けられた本発明に係る負圧調整装置を示し、図２は、負圧調整装置の一例を示すものである。図１において、１は建物、２は給気ダクト、３は排気ダクト、２ａは給気トップ、３ａは排気トップ、４は燃焼器具、５は給気管、６は排気管である。
【００１０】
７は排気ダクト３の底部に取り付けられた負圧調整装置であって、この装置７は、排気ダクト３の底部３ｂの一部に形成した大気開放口３ｃに対して取り付けられており、チャンバー７ａ内に支軸１２により回転自在（開閉自在）にダンパー８を取り付けた構成である。９はダンパー８に取り付けられたバランサー、１０は大気導入口、１１はこの導入口１０の奥に形成されたダンパーフレームであって、このダンパーフレーム１１は、傾斜している。
【００１１】
図２において、一点鎖線で示す符号の１３は、排気ダクト３内において、大気開放口３ｃに取り付けられた整圧板であって、大気をこの整圧板１３で上向きに誘導する。
【００１２】
なお、実施例の場合、バランサー９はダンパー８に対して着脱自在に取り付けられており、負圧の調整を行う場合には、重量の違うものに交換するか、量を増減して総重量を変える。
【００１３】
図３、図４において、８ａはダンパー８の取付片、１２ａはダンパー８の支軸１２を支持している支軸板、図４において、１４は負圧調整手段として、ダンパー８の取付片８ａと支軸板１２ａ間に挿入したコイルスプリングであって、このコイルスプリング１４によりダンパー８の自閉力を調整することができるようにしたものである。
【００１４】
実施例においては、排気ダクト３内と大気圧の差圧によりダンパー８が開閉して排気ダクト３内の負圧を一定に保ち、従来のように排気ダクト３内の負圧が大きくなりすぎないように調整することができる。
【００１５】
表１は、６階建ての集合住宅に設置された分離竪型給排気ダクトに本発明を実施した場合のデータであって、排気ダクト３内の静圧は、最大で−３．０ｍｍＨ2Ｏに調整され、給気ダクト２との差圧は最大で−２．５ｍｍＨ2Ｏである。
一方、表２は、従来例（図７）のデータであって、排気ダクト３内の静圧は、最大で−６．５ｍｍＨ2Ｏあり、また給気ダクト２との差圧は最大で−５．５ｍｍＨ2Ｏである。
【００１６】
図５は表１の排気ダクト内静圧データをグラフに表したもので、図６は表２（従来例）の排気ダクト内静圧データをグラフに表したものである。
（以下余白）
【００１７】
【表１】
0003802181.tif 000002
【００１８】
【表２】
0003802181.tif 000003
【００１９】
【発明の効果】
本発明は以上のように、排気ダクトの底部に負圧調整装置を取り付けたことにより、給気側と排気側の差圧が一定の範囲内に保たれる。よって、過度の負圧化により器具の燃焼性に悪い影響が生じたりする心配がない。
次に、ダンパーの開度負荷をバランサーまたはスプリングで調整できるようにしたので、必要に応じて、簡単に排気ダクト内の静圧の調整ができる効果がある。
【図面の簡単な説明】
【図１】本発明に係る給排気ダクトの説明図。
【図２】負圧調整装置の説明図。
【図３】バランサーを取り付けたダンパーの説明図。
【図４】スプリングを取り付けたダンパーの説明図。
【図５】本発明を実施した場合における排気ダクト内各階部分の静圧を示す説明図。
【図６】従来の排気ダクト内各階部分の静圧を示す説明図。
【図７】従来の分離竪型給排気ダクトの説明図。
【符号の説明】
１  建物
２  給気ダクト
２ａ  給気トップ
３  排気ダクト
３ａ  排気トップ
３ｂ  底部
３ｃ  大気開放口
４  燃焼器具
５  給気管
６  排気管
７  負圧調整装置
８  ダンパー
９  バランサー
１０  大気導入口
１１  ダンパーフレーム
１２  支軸
１３  整圧板
１４  コイルスプリング
【図１】
0003802181.tif 000004
【図２】
0003802181.tif 000005
【図３】
0003802181.tif 000006
【図４】
0003802181.tif 000007
【図５】
0003802181.tif 000008
【図６】
0003802181.tif 000009
【図７】
0003802181.tif 000010